(57)【要約】      （修正有）【課題】遊技機を遊技機島に取付けるにあたり、遊技機島の構造強度を確保可能でまた、取付けられた遊技機の傾きを盤面の傾きを基準として高精度で設定可能な取り付け装置を提供する。【解決手段】遊技機の装着枠２上面と遊技機島の上架板５との設計間隔は３ミリ〜４ミリであり、この間隙に弾性材料よりなる押圧板１０を配置し、押圧手段１２で押圧板１０の後端側を支点として前端部を降下して装着枠２の上面を押圧して遊技機を遊技機島に取付けする。また、押圧手段１２に設けた傾き調整手段１４で遊技機の装着枠１２の上部を前後方向に移動調整して遊技機の傾きの設定を行う。【選択図】図５
2012239860.tif 000002
【特許請求の範囲】
【請求項１】
遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下する押圧手段と、この押圧手段を遊技機の前後方向に移動自在として支持し、且つ遊技機の装着枠の枠上板の後端部に当接して遊技機の後方への移動を規制する規制部材を備えた傾き調整手段とで構成し、遊技機の遊技機島への取付けにあたり押圧手段を操作して押圧板で遊技機の装着枠の枠上板を押圧して遊技機を遊技機島に取付けするとともに、傾き調整手段を操作して遊技機の装着枠の下端部を支点として上端部を前後方向に移動して遊技機の傾きを調整することを特徴とする遊技機の取付け装置。
【請求項２】
上記の押圧板は、弾性板としたことを特徴とする請求項１に記載の遊技機の取付け装置。
【請求項３】
上記の押圧板は、押圧面に滑り止めを設けたことを特徴とする請求項１と請求項２に記載の遊技機の取付け装置。
【請求項４】
上記の押圧板は、先端部の下面をテーパー状としたことを特徴とする請求項１と請求項２および請求項３に記載の遊技機の取付け装置。
【請求項５】
上記の押圧手段は、上下位置調整手段を介在して押圧板に設け、押圧板は上下位置を調整自在としたことを特徴とする請求項１に記載の遊技機の取付け装置。
【請求項６】
上記の押圧板は、先端部を遊技機島の上架板の下面に弾機的に当接した状態で、遊技機の遊技機島への取付けの待機をするようにしたことを特徴とする請求項１と請求項２と請求項４および請求項５に記載の遊技機の取付け装置。
【請求項７】
上記の押圧手段は、遊技機島の上架板の上面に固定したケース本体と、ケース本体内に設けた移動部材に枢着し下端部を押圧板の後端に設けた支点部材に係合した腕板と、移動部材に回転自在に設けられ一端部に操作部を形成した操作螺子と、この操作螺子と螺合し腕板の上端部と回転を規制されて係合したナット部材とで構成し、この操作部を回転して押圧板の後端側を支点として先端部を降下して遊技機を遊技機島に固定することを特徴とする請求項１に記載の遊技機の取付け装置。
【請求項８】
上記の傾き調整手段は、遊技機島の上架板の上面に固定したケース本体に回転自在として架設し一端部を操作部とした傾き調整螺子と、この傾き調整螺子と螺合するナット部材を固着するとともに押圧手段を支持し規制部材を備えた移動部材とで構成し、傾き調整螺子の操作部を回転して遊技機の装着枠の枠下板を支点として枠上板を前後方向に移動して遊技機の傾きを調整することを特徴とする請求項１に記載の遊技機の取付け装置。
【請求項９】
上記の押圧手段と傾き調整手段の操作部は、遊技機島の前面で開閉板を有する点検開口部に臨ませて遊技機の前面側より遊技機の取付けおよび傾き調整の操作をするようにしたことを特徴とする請求項７と請求項８に記載の遊技機の取付け装置。
【請求項１０】
上記の押圧手段と傾き調整手段の操作部は、遊技機島の前面板に開口を形成して、この開口より遊技機の取付けおよび傾き調整の操作をするようにしたことを特徴とする請求項７と請求項８に記載の遊技機の取付け装置。
【発明の詳細な説明】
【技術分野】
【０００１】  この発明は、パチンコ台などの遊技機を遊技機島に取付ける遊技機の取付け装置に関する。
【背景技術】
【０００２】  パチンコ台などの遊技機１は、図２で示したように裏側に設けた矩形の装着枠２にヒンジ構造３によって開閉自在および取外し自在に取付けられており、遊技機１を図１で示した遊技機島４に取付ける場合、装着枠２を外して遊技機島４の上架板５と下架板６と縦部材７とで形成された区画Ｃ内に配置し、この装着枠２の枠上板８と枠下板を９をビス等で止着したり、専用の取付け器具で固定した状態で遊技機１をヒンジ構造３を介して装着枠２に取付け、遊技機１を遊技機島４に閉じて使用に供する。【０００３】  上記の遊技機の取付け作業は、営業時間の終了後の深夜に行われるものであるため短時間でできることが望ましいものであるが、遊技機より装着枠を外し、装着枠を遊技機島に取付け、そしてこの装着枠に遊技機を取付けるような煩雑な作業は短時間ではできなかった。また遊技機の装着枠の取付けはビス等で止着するか、もしくは専用の取付け器具によって行われ、ビス等で止着する場合は遊技機島を損傷して確実に固定されない場合があり、専用の取り付け器具を利用した場合は装着枠の枠上板を下側より挟んだり、また枠上板の前後端を挟み込んだりするものであり、遊技機の高重量（２０ｋｇ程度以上）に起因して緩みやガタ付きが生じ易く遊技機の固定に信頼性がなかった。【０００４】  また、遊技機島に取付けた遊技機は上端部が後方へ傾斜した状態で使用され、この傾きは機種によって決まっており、傾きの程度で遊技機の性能が著しく左右される。従ってこの傾きの設定を確実にすることが店の営業成績の上で重要となり、設定の精度を上げるには（特許文献３）で提案されているように、遊技機の取付け後に盤面に傾き測定器をあてて傾きを測定しながら、遊技機島の正面側より傾き度合いを調整できるようにすることが精度および作業の上でも望ましく、また、斯様な微細な調整を行った結果、取付けが堅固でないために傾きが変わって来ると再設定が必要となるので確実な取付け手段が要求されていた。【０００５】  これらの問題点を解消するために、遊技機を遊技機島に取付けるにあたり遊技機島の上架板の上方から押圧部材で装着枠の枠上板を押圧して固定する装置が提案されている。（特許文献１、特許文献２）【０００６】  上記の押圧部材で、遊技機島の上架板の上方から装着枠の枠上板を押圧して固定する場合、現実店舗での遊技機島に於いては木製の上架板を通過させるための通過穴もしくは上架板の後端部の切り欠きを形成しなければならない。（特許文献１）（特許文献２）
【先行技術文献】
【特許文献】
【０００７】
【特許文献１】特許第４５１４１５８号（図１２）
【特許文献２】特開２００６−３１４６５３号（図８）
【特許文献３】特開２００５−３１２８５２号（図１３）
【発明の概要】
【発明が解決しようとする課題】
【０００８】  この発明が解決しようとする課題は、遊技機島の上架板に穴や切り欠き等の加工をしなくとも、押圧部材で遊技機の枠上板を押圧して遊技機を遊技機島に堅固に取付けができる取付け装置を提供することと、さらに遊技機の傾きを盤面の傾きを基準とする高い精度で設定するのに適ったガタツキの無い堅固な取付け装置を提供することにある。また、この傾きの設定操作も遊技機の盤面の傾きを測定しながら行えるように、遊技機の前面側より行える傾き調整手段を提供することにある。【０００９】  遊技機島の上架板は、特別に設計変更する以外は厚み２０ミリ前後、取付け有効巾７０ミリ〜８０ミリと規格化されており、また、押圧部材は遊技機の装着枠が動かないように押圧するにはある程度の接触面積を必要とするため、結果として通過穴や切欠きの範囲が大きくなり上架板の強度、ひいては遊技機島の強度を損なう原因となっている。これらの加工も特に営業中の店舗で行う場合は工事の難度が増加して工事がコスト高になっていた。（特許文献１）（特許文献２）【００１０】  また、遊技機島の上架板の後端を切り欠いて、この切り欠き内に押圧部材が通過するようにした場合、遊技機の装着枠の枠上板の前後巾の規格寸法は最大７０ミリ、最小で５０ミリ程度で巾の狭い後者の枠上板の後端は２０ミリ前側となり、この巾の狭い場合の枠上板を確実に固定するには遊技機島の上架板の切り欠きは通常よりさらに前側に切り欠く必要がある。遊技機島の上架板の取付け有効部（板水平の箇所）は後端より７０ミリ〜８０ミリで規格化されているので、上記の切り欠きは上架板の巾の半分もしくはそれ以上となり、遊技機島全体の強度劣化の原因となる。（特許文献２）【００１１】  また、遊技機島の上架板の下面と遊技機の装着枠の枠上板の上面との間隙は、遊技機の重量等の原因で設計時の基準間隙の３ミリより広がる範囲でバラツキがあり、押圧部材の押圧時の下死点の高さを一定とした装置では、装着枠の枠上板が同じ力で押圧されないので遊技機の取付け状態が一定とならず設定した傾きが変わってしまう原因になっていた。また、下死点の高さ調整ができる装置を設けた場合、間隙の大小で一台ごとに調整しなければならず取付け作業に時間がかかっていた。【００１２】  また、遊技機の装着枠の枠上板は、木もしくは比較的薄い厚みの金属であるので、上面を押圧して固定する場合撓んで固定状態が不安定になり、極端な場合は枠上板の下面に支持部材を設けるものもあった。これを防ぐには枠上板の左右の端箇所の枠縦部材の上端を押すことができればこの問題は解決できる。しかし縦部材の巾は２０ｍｍ程度で規格化されているので、取付け装置を縦部材の真上に設置するには巾の制限があり、押圧部材を装着枠の真上に位置させることは難しかった。【００１３】  また、従来の押圧部材の通過穴や切り欠きは前記の遊技機島の強度が劣化するため、大きく形成できないので押圧面積は限定され、結果として装着枠の固定力が弱いので木製の被押圧面に喰い込むような突起を形成している。この突起は装着枠が金属製の場合は喰い込むことができないので、装着枠の固定状態の信頼性が劣り遊技機の傾きが変わる原因になっていた。【００１４】  また、押圧部材が弾機的に装着枠���枠上板を押圧するのではなく、押圧下死点が一定となる取付け装置では、遊技機島に遊技機が長期間取付けられたままの場合、遊技機島の上架板の撓みや、装着枠の撓み、および遊技機自体の振動等で遊技機の取付けが緩み、設定した傾きが変わってしまう原因になっていた。【００１５】  また、遊技機を遊技機島に取付ける場合、装着枠の後端が規制部材で後方への移動を規制された状態で取付けられないと上記のように傾きが変わる原因になっていた。
【課題を解決するための手段】
【００１６】  この発明によれば、遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下する押圧手段と、この押圧手段を遊技機の前後方向に移動自在として支持し、且つ遊技機の装着枠の枠上板の後端部に当接して遊技機の後方への移動を規制する規制部材を備えた傾き調整手段とで構成し、遊技機の遊技機島への取付けにあたり押圧手段を操作して押圧板で遊技機の装着枠の枠上板を押圧して遊技機を遊技機島に固定するとともに、傾き調整手段を操作して遊技機の装着枠の下端部を支点として上端部を前後方向に移動して遊技機の傾きを調整する遊技機の取付け装置を提供した。【００１７】  上記の押圧板は、弾性板とした。【００１８】  上記の押圧板は、押圧面に滑り止めを設けた。【００１９】  上記の押圧板は、先端部の下面をテーパー状とした。【００２０】  上記の押圧手段は、上下位置調整手段を介在して押圧板に係合し、押圧板は上下位置を調整自在とした。【００２１】  上記の押圧板は、先端部を遊技機島の上架板の下面に弾機的に当接した状態で、遊技機の遊技機島への取付けの待機をするようにした。【００２２】  上記の押圧手段は、遊技機島の上架板の上面に固定したケース本体と、ケース本体内に設けた移動部材に枢着し下端部を押圧板の後端に設けた支点部材に係合した腕板と、移動部材に回転自在に設けられ一端部に操作部を形成した操作螺子と、この操作螺子と螺合し腕板の上端部と回転を規制されて係合したナット部材とで構成し、この操作部を回転して押圧板の後端側を支点として先端部を降下して遊技機を遊技機島に固定するようにした。【００２３】  上記の傾き調整手段は、遊技機島の上架板の上面に固定したケース本体に回転自在として架設し一端部を操作部とした傾き調整螺子と、この傾き調整螺子と螺合するナット部材を固着するとともに押圧手段を支持し規制部材を備えた移動部材とで構成し、傾き調整螺子の操作部を回転して遊技機の装着枠の枠下板を支点として枠上板を前後方向に移動して遊技機の傾きを調整するようにした。【００２４】  上記の押圧手段と傾き調整手段の操作部は、遊技機島の前面で開閉板を有する点検開口部に臨ませて、遊技機の前面側より遊技機の取付けおよび傾き調整の操作をするようにした。【００２５】  上記の押圧手段と傾き調整手段の操作部は、遊技機島の前面板に開口を形成して、この開口より遊技機の取付けおよび傾き調整の操作をするようにした。【００２６】  以上の解決手段によって上記の課題が解決される。
【発明の効果】
【００２７】  この発明は、上記のように構成したので遊技機島の上架板と遊技機の装着枠の枠上板との間隙内に設けた押圧板が、この先端部から順次に装着枠の枠上板を押圧して遊技機を遊技機島に堅固に取付けるので、遊技機島の上架板に押圧部材が移動する通過穴や切り欠きを形成することがなく、遊技機島の上架板の強度の減少による撓みで取付けが弛んで遊技機の傾きが変わることが防止され、また装置自体の取付け作業の難度が解消できる。【００２８】  また、遊技機島の上架板に穴や切り欠きを形成する必要がないので、押圧板を大面積で形成して押圧力を強くでき、遊技機の傾きが設定した傾きのまま堅固に維持され、また、装着枠の枠上板の左右の縦部材に対応する遊技機島への該装置の取付け箇所に障害物があっても押圧板の巾を広くすることで枠上板の枠縦部材との対応箇所を押圧することができ枠上板の撓み等の問題に関係なく堅固に固定して遊技機を設定した傾きで維持できる。【００２９】  また、押圧板は弾性作用によって遊技機島の上架板と装着枠の枠上板との間隙の大小に関係なく枠上板を押圧するので遊技機は遊技機島に堅固に固定され、上記の間隙量に変化が生じても取付け状態に及ぼす影響が少なく、遊技機の傾きは設定した状態より変わることがない。また、遊技機を長期間取付けたままの状態に起因する装着枠の撓みや、遊技機自体の振動による取付け箇所の弛み等は押圧板の弾性によって吸収するので、遊技機は長期間取付けたままでも傾きが変わることはない。【００３０】  また、押圧板は下面に設けた滑り止めによって上記の弾性作用との相乗効果で、装着枠が金属性の場合においても木製と同様に堅固に固定することができ遊技機の傾きが変わることがない。【００３１】  また、押圧板は上下に移動できるようにしたので、上架板の厚みや上架板と装着枠の枠上板との間隙の大小に対応させて上下に移動させることで枠上板を一定の押圧力で押圧でき、枠上板の厚みや間隙の大小で遊技機の固定状態に影響を及ぼさず遊技機の傾きが変わることがない。【００３２】  また、押圧板は先端部の下面をテーパー状とし、装着枠の取付け待機時にはこの先端部を遊技機島の上架板の下面に弾機的に当接した状態としたので、装着枠の装着時、即ち遊技機の取付け時に押圧板が邪魔となることが無く、且つ装着枠の固定前の段階で仮止めの作用が営まれるので遊技機の取付け時に遊技機を後方へ押さえる必要がない。【００３３】  また、押圧板は押圧手段で遊技機の装着枠の枠上板の後端側を支点として先端部を降下して装着枠の枠上板を押圧するので枠上板は後端部方向にも押圧されて後端部を規制手段で位置決めされ後方への移動を規制される。よって遊技機は後方へ動くことがなく取付け時に傾きが変わることがない。【００３４】  また、押圧板は螺子を利用した押圧手段で枠上板を連続的に押圧するので、遊技機島の上架板と装着枠の枠上板の間隙の距離に関係無く装着枠を堅固に固定することができ傾きが変わることがない。【００３５】  また、遊技機の傾きを調整する操作部は遊技機島の点検開口部もしくは遊技機島の前面板の開口に設けたので、遊技機の盤面の傾きを測定しながら傾きの調整操作が遊技機の前面側より行える。
【図面の簡単な説明】
【００３６】
【図１】この発明の一実施例を示す遊技機島の正面図
【図２】遊技機と装着枠の開閉状態を示す斜視図
【図３】遊技機の取付け装置を設置した遊技機島の断面図
【図４】同上、遊技機の取り付け装置の断面図
【図５】遊技機の取り付け装置の傾き調整手段の動作を示す断面図
【図６】遊技機の取付け装置の押圧手段を開放した状態を示す断面図
【図７】図５の遊技機の取り付け装置の右側面図
【図８】遊技機の取付け装置の分解斜視図
【図９】押圧板の上下移動状態を示す断面図
【図１０】押圧板の待機状態を示す断面図
【図１１】押圧板の押圧状態を示す断面図
【図１２】装着枠の枠下板の取付け状態を示す実施例図
【図１３】同上、他の実施例図
【図１４】同上、他の実施例図
【図１５】遊技機島の他の実施例を示す正面図
【図１６】同上、要部断面図
【発明を実施するための形態】
【００３７】  この発明を図面に基づいて説明する。
【００３８】  この発明の遊技機の取付け装置Ａは図１で示した遊技機島４の区画Ｃに対応し左右一対として上架板５に取付けられている。遊技機島４はこの上架板５と下架板６と通常サンドと称する玉供給用のケース等を含む縦部材７で区画Ｃが形成されている。この区画Ｃに遊技機１が配置されて使用に供する。
【００３９】  遊技機１は図２で示したように装着枠２がヒンジ構造３を介して機体の裏側に閉じた状態で上記の区画Ｃ内に取付けられる。区画Ｃ内に配置された遊技機１は図３で示したように装着枠２の枠下板９が下架板６上に載置され且つ、枠上板８が上架板５の下方で適宜な間隙Ｂを保持して対向するようにして装着枠２が取付けられ、結果として遊技機１が遊技機島４に開閉自在として取付けられる。
【００４０】  この発明の取付け装置Ａは装着枠２の上部の取付け、即ち枠上板８に対する取付け装置に関するもので、一方、枠下板９の取付けは、釘やビスもしくは図１２に示した螺子による取り付け装置（特開２０１１−２４９７９）または図１３で示したトグルクランプによる取り付け装置（特開２００９−１４８４８６）さらには図１４で示したように枠下板９の後端部の後退のみを規制する後退規制装置等、枠下板９の固定手段は特に限定するものではない。また、この取付け装置Ａは枠上板８を下方に押圧して固定するものであるので、下架板６上にゴム等の滑り止め（図示せず）を設けて接触抵抗を大きくして固定する手段も考えられる。
【００４１】  上架板５と枠上板８の間隙Ｂは装着枠２が自在に出入りできるように設計時には３ｍｍ程度の間隔が保たれているが、長期間の使用による遊技機４の荷重でこの間隔は大きくなる。この取り付け装置Ａは上記の間隙Ｂ内に押圧板１０を配置してこの枠上板８の上面を押圧して装着枠２を固定するものである。しかしながら押圧板１０は装着枠２の出入りの邪魔にならない１ｍｍから２ｍｍ程度の厚みに限定される上に、押圧板１０を単に水平な姿勢で降下させて枠上板８を押圧しても、押圧板１０の先端部が枠上板８の上面より上方に反り上がり後端部のみが枠上板８の後端部上面を押圧することになる。この不安定な取付け状態では高重量の遊技機１を堅固に固定することはできない。
【００４２】  また、枠上板８の規格巾は７０ｍｍであるが特殊な場合は５０ｍｍ程度の物もあり、枠上板８は前端の位置を基準として取り付けられるため巾が狭い場合、押圧板１０の後端側より離れた箇所で押圧することになり押圧力が加わらず遊技機１の固定状態は尚一層悪くなる。この取付け装置Ａは上記の観点より押圧板１０を弾性板としこの先端が装着枠の枠上板の前端近くまでに臨むようにして間隙Ｂ内に設け、この後端側を支点として先端部が降下するようにし押圧接地面積を大として枠上板８の上面を押圧するようにしたものである。
【００４３】  図３より図８で示した取付け装置Ａは、遊技機島４の上架板５と遊技機１の装着枠２の枠上板８との間隙Ｂ内に設けた押圧板１０と、上下位置調整手段１１を介して押圧板１０を設けた押圧手段１２と、この押圧手段１２を支持し規制手段１３を備えた傾き調整手段１４とで構成している。
【００４４】  押圧板１０は、鉄のＳＫ材等を焼入れしたバネ材もしくはバネ作用を有する弾性板であり、下面の押圧面１５にゴムの焼付けや滑り止め塗料の塗装もしくは凹凸の滑り止め作用を有する滑り止めテープを貼る等の手段で滑り止め１６を設け、この下面の先端部をテーパー状１７としている。
【００４５】  押圧手段１２は、上架板５の上面に固定したケース本体１８と、ケース本体１８の内部に遊技機４の前後方向移動自在として設けられた移動部材１９と、この移動部材１９の内部に設けられ両端に形成したカム２０を移動部材１９のガイド溝２１に移動自在に係合させたナット部材２２と、ナット部材２２に螺合し移動部材１９に回転自在に装着された操作螺子５８と、移動部材１９の外側に中心部を枢着され上端部をナット部材２２のカム２０に係合し下端部を支点部材２３と係合した一対の腕板２４と、移動部材１９に枢着し下端部を上下位置調整手段１１を介して押圧板１０の後端部に接続した上記の支点部材２３とで構成している。
【００４６】  押圧板１０は図８に示したように、後端側２５の上面に取付け金具２６を固定している。取付け金具２６は凸形状の基底部２７を、螺子穴２８と押圧板１０の取付け穴２９を介して螺子３０で押圧板１０に止着している。
【００４７】  支点部材２３は、図７で示したように下端部に取付け金具２６の頭部３１を上下方向スライド自在に収容する収容部３２を形成し、一対の立上り板３３に設けた軸穴３４、３５に頭部を径大とした支軸３６、３７を挿通している。支軸３６は立上り板３３より突出した個所のピン穴３８にピン３９を嵌入して脱落を阻止され、支軸３７は移動部材１９の外側でケース本体１８の内側に立上り板３３を臨ませた状態で、移動部材１９の下端水平部８１の軸穴４０とケース本体１８のガイド穴４１および立上り板３３の軸穴３５に挿通し、この突出個所に座金４２を介してピン穴４３にピン４４を嵌入して支点部材２３を移動部材１９に揺動自在、且つケース本体１８のガイド穴４１内に移動自在に取付けている。
【００４８】  支点部材２３の収容部３２の天井個所には軸穴４５を備えた天板４６が一体に形成され、この軸穴４５には調整螺子４７の径小な空転部４８を回転自在に挿入し、天板４６より突出した個所のピン穴４９にピン５０を嵌入して調整螺子４７は収容部３２内で回転自在に設けられている。取付け金具２６の頭部３１の穴５１の下面には上記の調整螺子４７と螺合するナット５２が固着されているので、取付け金具２６を上記の収容部３２内に入れて調整螺子４７の下端の６角穴５３を押圧板１０の穴５４よりレンチで回すことで、取付け金具２６は収容部３２内で回転を規制されて押圧板１０は上昇または下降する。押圧板１０は上記構成の上下位置調整手段１１で上下に移動できる。
【００４９】  ケース本体１８は、下端部の水平取付け部５５を上架板５上に配置し、一体の垂下部５６が上架板５の後端に当接した状態で、上架板５の下側より先端に螺子形成機能を有するビス５７で上架板５を貫通しさらに水平取付け部５５の止着穴７６に螺子を切りながら貫通して上架板５上に堅固に固定する。
【００５０】  移動部材１９内に設けたナット部材２２には操作螺子５８が螺合している。操作螺子５８は図８で示したように一端に形成した径小部５９を移動部材１９の透穴６０に挿通自在に貫通し突出個所のピン穴６１にピン６２を嵌入して移動部材１９に回転自在に取付けられ、この突出端は支持板６３の軸穴６４に挿通自在に挿入している。支持板６３は取付け穴６８を有する両側の取付け部６５をケース本体１８の外側に臨ませ、この取付け穴６８とケース本体１９の螺子穴６６によって螺子６７で止着されている。操作螺子５８の他端はケース本体１８の透穴６９内を移動自在に挿通しこの突出端には６角の操作部７０が形成されている。
【００５１】  上記の操作部７０をレンチ等で回すと、カム２０がガイド溝２１で回転を規制されてナット部材２２が操作螺子５８の軸方向に移動する。
【００５２】  一対の腕板２４は上下端部にカム溝７１、７２が形成され、中心部の軸穴７３と移動部材１９の軸穴７４およびケース本体１８のガイド溝７５に径大な頭部を有する支軸７７が挿通して移動部材１９に枢着されている。支軸７７は座金７８を介してガイド溝７５の突出個所のピン穴７９にピン８０を嵌入して脱落が防止されている。腕板２４のカム溝７１をナット部材２２のカム２０に係合し、カム溝７２を支点部材２３の支軸３６に係合して上記の操作部７０を回すとナット部材２２の移動にともなって支点部材２３は支軸３７を中心として回転して上下位置調整手段１１を介して設けた押圧板１０は同様に後端側を支点として先端が降下もしくは上昇する。
【００５３】  規制手段１３は、移動部材１９の下端水平部８１に固着され螺子穴８２を備えた案内板８９と、この案内板８９に上下方向に移動自在に止着される規制板９０と、規制板９０に前後方向移動自在に設けられた調整ボルト９１とで構成している。
規制板９０は立ち上がり部９２を案内板８９の曲折壁９３内に配置して螺子９４で長穴９５を介して螺子穴８２に止着されている。規制板９０は下部の曲折部９６に調整ボルト９１が螺合するナット９８を固着している。螺子９４の止着操作で規制板９０は長穴９５の範囲で上下に移動でき、調整ボルト９１の上下位置を同様にして長穴９５の範囲で調整できる。
【００５４】  傾き調整手段１４は、ケース本体１８内に設けられた移動部材１９とこの移動部材１９の内部に固着されガイド穴９９および螺子穴１００を有するナット部材１０１と、ガイド穴９９に摺動自在に挿通して移動部材１９の移動案内をする案内軸１０２と、螺子穴１００に螺合して移動部材１９を移動させる傾き調整螺子１０３とで構成している。
【００５５】  案内軸１０２は移動部材１９の透穴１０４を挿通して両端の径小部１０５をケース本体１８と支持板６３との軸穴１０６、１０７に嵌入し、傾き調整螺子１０３は移動部材１９の透穴１０８を挿通して径小部１０９を支持板６３の軸穴１１２に嵌入し他端に形成した径小な空転部１１３及び６角の操作部１１４をケース本体１８の軸穴１１５より突出し、軸穴１１５と空転部１１３の係合によって回転自在に設けられている。
【００５６】  傾き調整螺子１０３の操作部１１４を回転すると移動部材１９はケース本体１８の内部で遊技機島４の前後方向に移動する。この移動部材１９の移動は案内軸１０２がナット部材１０１で支軸７７がケース本体１８のガイド溝７５でさらに支軸３７がケース本体１８のガイド穴４１に夫々案内されて行われるので、移動部材１９は傾き調整螺子１０３を備えた上部個所と支点部材２３を備えた下端水平部８１が平行に移動して傾くことがない。
【００５７】  上記の取付け装置Ａによって遊技機４を取付けるには、操作部７０を回して押圧板１０を図９で示したように上架板５の下方で水平の姿勢とし、ついで押圧板１０の下側より調整螺子４７を回して上架板５の方向に上昇させる。このさい押圧板１０は図１０で示したように上架板５の下面より多少の間隔Ｄを保持して上下の位置決めをし、次いで操作部７０を押圧板１０の先端が上昇する向きに回転して先端部を上架板５の下面に押圧当接させる。押圧板１０は先端部の下面をテーパー状１７としているので、上記の待機状態で遊技機島４の区画Ｃに遊技機１の装着枠２が導入される際に枠上板８が押圧板１０の先端にぶつかっても押圧板１０の先端部が下がって装着の障害となることが無く、さらにテーパー状１７の案内でスムーズに押圧板１０の下側に導入される。
【００５８】  次に遊技機１を装着枠２が備えられた状態で区画Ｃ内に導入する。この際に枠上板８は後端を調整ボルト９１の頭部に当接して後方の移動を規制される。調整ボルト９１は枠上板８の厚みや上下位置に対応して螺子９４の止着操作で上下位置を調整する。遊技機１は上部が後方に傾いた姿勢で遊技機島４に取付けられるものであり、この傾きの位置決めは調整ボルト９１を回して事前に設定する。遊技機１を遊技機島４に始めて取付ける場合以外は調整ボルト９１の位置は取外した遊技機１の傾きに設定されているのでこの操作は必要ない。
【００５９】  次に操作部７０を押圧板１０の先端部が下降する向きに回して、図１１で示したように押圧板１０の下面で先端部より順次に枠上板８を押圧して装着枠２を堅固に固定する。この時押圧板１０の先端部は後方に移動しながら枠上板８を降下押圧するので枠上板８の後端部は調整ボルト９１の頭部で位置を規制され遊技機１の傾きが決定される。操作部７０は電動ドライバーもしくは手動レンチ等で操作するが、締め付けトルクを設定することで装着枠２の固定力を一定とすることができる。また、装着枠２の枠上板８の被押圧面が金属面である場合、該箇所にアルミテープや両面粘着テープもしくは滑り止めテープを貼り付けることで、遊技機１の取付け状態を尚いっそう堅固にすることができる。
【００６０】  上記の装着枠２の枠上板８の取付けは、前述の装着枠２の枠下板９の取付けの前もしくは後に行われるが、ビス等で止着する場合、また下架板６に施した滑り止めによって押圧板１０の押圧力だけで枠下板９を取付ける場合、もしくは取付け装置で取付ける場合等何れにおいても枠下板９の後端の位置が決められてから取付けることになる。
【００６１】  上記において遊技機島４に取付けられた遊技機１は盤面Ｅに傾き測定器Ｆをあてて盤面Ｅの傾きを測定すると設定した傾きとは異なる結果となる場合が多い。これは遊技機１や装着枠２自体の構造上の誤差や取付け時の誤差等を原因とするものである。
【００６２】  次に遊技機１の盤面Ｅの傾きの調整を行う。傾き調整螺子１０３の操作部１１４を回転操作すると、移動部材１９は遊技機１の前後方向に移動し、支持した押圧手段１２および具備した規制手段１３および押圧板１０で固定した装着枠２の枠上板８を枠下板９側を支点として同様に移動し、遊技機１の傾きを変化させる。図３で示したように遊技機１の盤面Ｅの傾きを傾き測定器Ｆで測定しながら操作部１１４を回して図５に示したように盤面Ｅの傾きを調整する。
【００６３】  取付け装置Ａは遊技機島４への取付けにあたり操作部７０および１１４が遊技機島４の前面の点検開口１１６に臨むように設置され、上記の操作はこの開閉板１１７を開いて遊技機島４の前側から行われる。従ってこの取付け装置Ａでは遊技機１を装着枠２が取付いた状態で区画Ｃに入れて取付けと傾きの調整作業を行うことができる。
【００６４】  図１５と図１６は遊技機島４の点検開口１１６が玉箱置１１８の上部にあるものを示し、この場合は操作部７０および１１４に対応する前面板１１９に開口１２０を穿けてこの開口１２０より操作できるようにする。開口１２０には営業時にはキャップ１２１を嵌めて部外者の操作を防止する。
【産業上の利用可能性】
【００６５】  この発明の遊技機の取り付け装置はパチンコ台の取付け以外にスロットマシーンの取付けにおいても同様に利用できる。
【符号の説明】
【００６６】  Ａ・・・遊技機の取付け装置
Ｂ・・・間隙
Ｃ・・・区画
Ｅ・・・盤面
Ｆ・・・傾き測定器
１・・・遊技機
２・・・装着枠
４・・・遊技機島
５・・・上架板
６・・・下架板
７・・・縦部材
８・・・枠上板
９・・・枠下板
１０・・・押圧板
１１・・・上下位置調整手段
１２・・・押圧手段
１３・・・規制手段
１４・・・傾き調整手段
１６・・・滑り止め
１７・・・テーパー状
１８・・・ケース本体
１９・・・移動部材
２２・・・ナット部材
２３・・・支点部材
２４・・・腕板
５８・・・操作螺子
７０・・・操作部
１０１・・・ナット部材
１０３・・・傾き調整螺子
１１４・・・操作部
１１６・・・点検開口
１１９・・・前面板
１２０・・・開口
【図１】
2012239860.tif 000003
【図２】
2012239860.tif 000004
【図３】
2012239860.tif 000005
【図４】
2012239860.tif 000006
【図５】
2012239860.tif 000007
【図６】
2012239860.tif 000008
【図７】
2012239860.tif 000009
【図８】
2012239860.tif 000010
【図９】
2012239860.tif 000011
【図１０】
2012239860.tif 000012
【図１１】
2012239860.tif 000013
【図１２】
2012239860.tif 000014
【図１３】
2012239860.tif 000015
【図１４】
2012239860.tif 000016
【図１５】
2012239860.tif 000017
【図１６】
2012239860.tif 000018